(57)【要約】      （修正有）【課題】スイッチ手段の操作部の操作を確実かつ簡便にロックするとともに、かかるロック状態を施錠により保持し得る操作ロック装置を提供する。【解決手段】スイッチ手段の操作部が開口部１Ａを貫通した状態で当該スイッチ手段の表面Ｉに下面が当接される下部プレート１と、当該開口部１Ａを挟んで相対向して当該下部プレート１に固定された支持部材２及び３と、当該支持部材２に支持されて当該操作部を挟持する螺子軸４と、当該下部プレート１に下端面が固定されて先端部にプレート側貫通孔７Ａが形成されたプレート側タブプレート７と、当該下部プレート１の上方の空間６で当該操作部を覆う上部カバー５と、当該上部カバー５に下端部が固定されて、当該プレート側タブプレート７と相対向するとともに先端部に当該プレート側貫通孔７Ａと連通するカバー側貫通孔９Ａを有するカバー側タブプレート９とを有する。【選択図】図１
2012256549.tif 000002
【特許請求の範囲】
【請求項１】
スイッチ手段の操作部が中央部に形成された開口部を貫通した状態で前記スイッチ手段の表面に下面が当接される下部プレートと、
前記開口部を挟んで相対向されるとともに下端面が前記下部プレートに固定されて前記操作部の貫通方向に伸びる壁部である支持部材と、
前記支持部材に支持されて前記操作部を挟持する挟持部材と、
前記下部プレートに下端面が固定されて前記操作部の貫通方向に伸びるとともに先端部にプレート側貫通孔が形成されているプレート側タブプレートと、
前記下部プレートの上方の空間で前記操作部を覆う上部カバーと、
前記上部カバーに下端部が固定されて前記操作部の貫通方向に伸び、前記プレート側タブプレートと相対向するとともに先端部に前記プレート側貫通孔と連通されるカバー側貫通孔を有するカバー側タブプレートとを有することを特徴とするスイッチ手段の操作部の操作ロック装置。
【請求項２】
請求項１に記載するスイッチ手段の操作部の操作ロック装置において、
前記挟持部材は、前記支持部材の一方に螺合された螺子軸を有し、前記螺子軸の回転操作に伴う前記支持部材の他方に向けての直線移動により前記螺子軸の先端を前記操作部に押圧することにより、前記操作部を前記他方の支持部材との間で挟持するように構成したものであることを特徴とするスイッチ手段の操作部の操作ロック装置。
【請求項３】
請求項１に記載するスイッチ手段の操作部の操作ロック装置において、
前記挟持部材は、前記支持部材の一方に軸方向に移動可能に支持されたシャフトと、該シャフトを前記支持部材の他方に向けて付勢するばね力を付与するように前記シャフトに嵌装されているばねとを有し、前記シャフトの先端を前記ばね力により前記操作部に押圧して前記操作部を前記他方の支持部材との間で挟持するように構成したものであることを特徴とするスイッチ手段の操作部の操作ロック装置。
【請求項４】
請求項１〜請求項３の何れか一項に記載するスイッチ手段の操作部の操作ロック装置において、
前記挟持部材は、操作部である操作レバーを時計方向および反時計方向に回動させて直線的に移動させることにより電気回路の入切を行う遮断器の前記操作部を挟持するものであることを特徴とするスイッチ手段の操作部の操作ロック装置。
【請求項５】
請求項１〜請求項３の何れか一項に記載するスイッチ手段の操作部の操作ロック装置において、
前記挟持部材は、操作部を軸周りに時計方向および反時計方向に回動させて電気回路の切替を行うロータリースイッチの前記操作部を挟持するものであることを特徴とするスイッチ手段の操作部の操作ロック装置。
【発明の詳細な説明】
【技術分野】
【０００１】
本発明はスイッチ手段の操作部の操作ロック装置に関し、特に配線用の遮断器の操作部である操作レバーの操作ロックに適用して有用なものである。
【背景技術】
【０００２】
低圧回路の作業を行う場合、配線用の遮断器を開放して所定の作業を行っている。かかる作業中においては誤って遮断器を投入しないように操作禁止の表示を行って所定の作業を実施するようになっている。一方、安全のための規則には、「開路に用いた開閉器に、作業中施錠し、もしくは通電禁止に関する所定事項を表示しまたは監視人をおくこと。」と規定されている。したがって、前述の如く「操作禁止」の表示を行って作業を実施すれば運用上の問題はない。
【０００３】
しかしながら操作禁止の標示のみの運用では、標示を無視した操作等のヒューマンエラーの予防までは困難である。そこで、施錠等により確実に操作ロック状態が保持されるようにすることが望ましい。
【０００４】
なお、遮断器などの各種機器に取り付けられる操作釦において、誤操作等を防止する目的で取り付けたカバーを南京錠で施錠する誤操作防止機構を開示する公知文献として、例えば特許文献１がある。
【先行技術文献】
【特許文献】
【０００５】
【特許文献１】特開平０９−０１７２９１号公報
【発明の概要】
【発明が解決しようとする課題】
【０００６】
上述の如き従来技術の如く、標示のみでなく、機械的なヒューマンエラーの防止のために配線用の遮断器に施錠を行なおうと考えても一般的な配線用の遮断器は施錠が可能な構造となっていないという問題がある。一方、施錠を行なわない代わりに監視人を配置して絶対に操作させないような体制を構築することが考えられるが、この場合には監視人の人件費が必要になり、費用対効果の観点から一般的に実施されるには至っていない。
【０００７】
また、特許文献１に開示する誤操作防止機構は、操作釦をその軸方向に移動させることによりスイッチの入切等の所定の動作を行なわせるスイッチ手段に適用させるものであるため、操作部を一方向および反対方向に直線的に回動移動させて電気回路を切替える前記遮断器やロータリースイッチの操作部のロックには適用することができない。
【０００８】
本発明は、上記従来技術に鑑み、スイッチ手段の操作部の操作を確実かつ簡便にロックするとともに、かかるロック状態を施錠により保持し得るスイッチ手段の操作部の操作ロック装置を提供することを目的とする。
【課題を解決するための手段】
【０００９】
本発明の第１の態様は、
スイッチ手段の操作部が中央部に形成された開口部を貫通した状態で前記スイッチ手段の表面に下面が当接される下部プレートと、
前記開口部を挟んで相対向されるとともに下端面が前記下部プレートに固定されて前記操作部の貫通方向に伸びる壁部である支持部材と、
前記支持部材に支持されて前記操作部を挟持する挟持部材と、
前記下部プレートに下端面が固定されて前記操作部の貫通方向に伸びるとともに先端部にプレート側貫通孔が形成されているプレート側タブプレートと、
前記下部プレートの上方の空間で前記操作部を覆う上部カバーと、
前記上部カバーに下端部が固定されて前記操作部の貫通方向に伸び、前記プレート側タブプレートと相対向するとともに先端部に前記プレート側貫通孔と連通されるカバー側貫通孔を有するカバー側タブプレートとを有することを特徴とするスイッチ手段の操作部の操作ロック装置にある。
【００１０】
本態様によれば、スイッチ手段の操作部を開口部を貫通させた状態で、支持部材と、挟持部材でスイッチ手段の操作部を挟持することで、プレート側タブプレートが一体となっている下部プレートをスイッチ手段に簡単かつ確実に取り付けることができる。かかる状態で操作部の操作がロックされる。
【００１１】
さらに、かかる状態で上部カバーを下部プレートに被せて装着することにより前記操作部を覆うとともに、カバー側タブプレートのカバー側貫通孔をプレート側タブプレートのプレート側貫通孔に連通させることができる。この結果、カバー側貫通孔とプレート側貫通孔とに、例えば南京錠のＵ字状のツルを挿通することで簡単かつ確実に操作部を上部カバーで覆った状態で施錠することができる。
【００１２】
この結果、ヒューマンエラーによる操作部の誤操作を確実に防止することができる。
【００１３】
ここで、操作部を貫通させる開口部の大きさを適宜選択することにより多品種のスイッチ手段に柔軟に適用させることができる。
【００１４】
本発明の第２の態様は、
第１の態様に記載するスイッチ手段の操作部の操作ロック装置において、
前記挟持部材は、前記支持部材の一方に螺合された螺子軸を有し、前記螺子軸の回転操作に伴う前記支持部材の他方に向けての直線移動により前記螺子軸の先端を前記操作部に押圧することにより、前記操作部を前記他方の支持部材との間で挟持するように構成したものであることを特徴とするスイッチ手段の操作部の操作ロック装置にある。
【００１５】
本態様によれば、螺子軸を回転させてその軸方向に他方の支持部材に向けて移動させることにより、下部プレートの開口部を貫通している操作部を他方の支持部材と螺子軸の先端との間に良好に挟持させることができる。
【００１６】
本発明の第３の態様は、
第１の態様に記載するスイッチ手段の操作部の操作ロック装置において、
前記挟持部材は、前記支持部材の一方に軸方向に移動可能に支持されたシャフトと、該シャフトを前記支持部材の他方に向けて付勢するばね力を付与するように前記シャフトに嵌装されているばねとを有し、前記シャフトの先端を前記ばね力により前記操作部に押圧して、前記操作部を前記他方の支持部材との間で挟持するように構成したものであることを特徴とするスイッチ手段の操作部の操作ロック装置にある。
【００１７】
本態様によれば、シャフトをばね力に抗して一旦他方の支持部材と反対方向に軸方向に沿って直線移動させ、かかる状態で操作部を下部プレートの開口部を貫通させ、その後シャフトをばね力により他方の支持部材側に移動させることによりばね力の作用で操作部を他方の支持部材とシャフトの先端との間に良好に挟持させることができる。
【００１８】
本発明の第４の態様は、
第１〜第３の何れか一つの態様に記載するスイッチ手段の操作部の操作ロック装置において、
前記挟持部材は、操作部である操作レバーを時計方向および反時計方向に回動させて直線的に移動させることにより電気回路の入切を行う遮断器の前記操作部を挟持するものであることを特徴とするスイッチ手段の操作部の操作ロック装置にある。
【００１９】
本態様は、スイッチ手段である遮断器の操作レバーの操作ロックに適用して特に有用なものとなる。
【００２０】
本発明の第５の態様は、
第１〜第３の何れか一つの態様に記載するスイッチ手段の操作部の操作ロック装置において、
前記挟持部材は、操作部を軸周りに時計方向および反時計方向に回動させて電気回路の切替を行うロータリースイッチの前記操作部を挟持するものであることを特徴とするスイッチ手段の操作部の操作ロック装置にある。
【００２１】
本態様は、スイッチ手段であるロータリースイッチの操作部の操作ロックに適用して特に有用なものとなる。
【発明の効果】
【００２２】
本発明によれば、下部プレートの開口部を、スイッチ手段の操作部が貫通した状態で挟持部材で前記操作部を挟持することにより下部プレートのスイッチ手段に対する装着が完了するとともに挟持部材による操作部の操作がロックされる。かかる状態で操作部は下部プレートに装着する上部カバーで覆われ、しかも上部カバーと下部プレート間はカバー側タブプレートおよびプレート側タブプレートを介して簡単に施錠することが可能であるため、作業員による操作部の誤操作を確実に防止することができる。
【００２３】
また、操作部を貫通させる開口部の大きさを適宜選択することにより、多品種のスイッチ手段に柔軟に適用させることができ、この結果汎用性にも優れたものとなる。
【図面の簡単な説明】
【００２４】
【図１】本発明の実施の形態に係るスイッチ手段の操作部の操作ロック装置を示す図で、（ａ）は平面図、（ｂ）は正面図、（ｃ）は右側面図である。
【図２】本発明の実施の形態に係るスイッチ手段の操作部の操作ロック装置の分解斜視図である。
【図３】本発明の実施の形態に係るスイッチ手段の操作部の操作ロック装置の組み立てた状態を示す斜視図である。
【図４】本発明の実施の形態における挟持手段の他の例を抽出して示す図で、（ａ）は通常時の状態を示す平面図、（ｂ）はスイッチ手段の操作部に装着した状態で示す平面図である。
【図５】本発明を適用するスイッチ手段の他の例を示す図で、（ａ）は平面図、（ｂ）は斜視図である。
【発明を実施するための形態】
【００２５】
以下、本発明の実施の形態を図面に基づき詳細に説明する。
図１は、本発明の実施の形態に係るスイッチ手段の操作部の操作ロック装置を示す図で、（ａ）は平面図、（ｂ）は正面図、（ｃ）は右側面図である。これらの図に示すように、透明部材で形成した下部プレート１は、例えば配線用の遮断器であるスイッチ手段の表面Ｉに下面が当接されて配設される平板状の部材で、その中央部には矩形の開口部１Ａが形成されている。開口部１Ａは、下部プレート１を、前記スイッチ手段へ装着する際、スイッチ手段の操作部（図１には図示せず）が貫通する部位である。開口部１Ａの相対向する縁部には下端面が下部プレート１の表面に固着されて一体となり、前記操作部の貫通方向（図１（ｂ）中上方向；以下同じ。）に伸びる壁部である支持部材２，３が形成されている。この結果、支持部材２，３は開口部１Ａの両側で相対向している。
【００２６】
支持部材２には蝶螺子で形成した螺子軸４が螺合されており、基端部の蝶形の操作部４Ａを回転させることにより、その先端の座金部４Ｂを軸方向に直線移動させることができる。すなわち、螺子軸４は図１（ａ）、（ｂ）において、図中左右方向に直線移動する。かくして、螺子軸４を支持部材３に向けて直線移動させ、座金部４Ｂと支持部材３の内壁面との間の距離を縮小することにより座金部４Ｂと支持部材３の内壁面との間でスイッチ手段の操作部を挟持することができる。すなわち、本形態では支持部材２，３および螺子軸４で挟持手段を形成している。
【００２７】
上部カバー５はその下面と下部プレート１の上面との間に空間６を形成するための部材で、下部プレート１に組み合わせられる。前記操作部は、空間６内に収納される。すなわち、上部カバー５は操作部を覆ってその勝手な操作を阻害する部材として機能させるようになっている。
【００２８】
プレート側タブプレート７，８は下部プレート１に下端面が固定されて前記操作部の貫通方向に伸びるとともに先端部にプレート側貫通孔７Ａ，８Ａが形成されている。カバー側タブプレート９，１０は上部カバー５に下端部が固定されて前記操作部の貫通方向に伸び、プレート側タブプレート７，８とそれぞれ相対向するように構成してある。この結果、カバー側タブプレート９，１０の先端部に形成されるカバー側貫通孔９Ａ，１０Ａがプレート側貫通孔７Ａ，８Ａに連通するようになっている。このように本形態においては、プレート側タブプレート７，８が下部プレート１の支持部材２，３と直交する辺に相対向させて形成してあり、これに対応させてカバー側タブプレート９，１０が上部カバー５の支持部材２，３と直交する辺に相対向させて形成してある。ただ、本形態の如く、必ずしも２組づつ形成する必要はない。プレート側タブプレート７およびカバー側タブプレート９の一組、またはプレート側タブプレート８およびカバー側タブプレート１０の一組の何れか一方でも後述する所定の施錠効果は発揮される。
【００２９】
上部カバー５で下部プレート１の上方の空間６が覆われている状態では、スイッチ手段の操作部の操作が禁止される状態であるので、当該モードであることを作業者が容易に視認し得るよう、上部カバー５の裏面には「操作禁止」の文字を書いた札１１が貼り付けてある。
【００３０】
図２は本実施の形態に係るスイッチ手段の操作部の操作ロック装置の使用時の態様を示す分解斜視図、図３はその組み立て時の態様を示す斜視図である。これら図２および図３に基づき使用時の態様を説明しておく。まず、図２に示すように、スイッチ手段の操作部IIを開口部１Ａを貫通させて下部プレート１をスイッチ手段の表面Ｉに当接させる。かかる状態で螺子軸４の操作部４Ａを回転させて螺子軸４を支持部材３側に直線移動させる。この結果、支持部材３と、螺子軸４の座金部４Ｂとの間で操作部IIが挟持される。このことにより下部プレート１がスイッチ手段に装着される。
【００３１】
かかる状態で、図２中に矢印で示すように上部カバー５を下部プレート１に組み合わせて空間６に操作部IIを収納する。かかる状態で外部からの操作部IIの操作は阻害される。本形態では、かかる状態を施錠するため、南京錠１２のＵ字状のツル１２Ａをカバー側貫通孔９Ａとプレート側貫通孔７Ａ（図３には図示せず）との間に挿通して施錠する。この結果、南京錠１２を解錠するまでは上部カバー５を下部プレート１から取り外すことができないので、安定して操作部IIの操作を禁止することができる。なお、図ではカバー側貫通孔１０Ａとプレート側貫通孔８Ａとの間に南京錠１２のツル１２Ａを挿通して施錠しても勿論構わない。さらに両方をそれぞれ南京錠１２で施錠しても良い。
【００３２】
図４は、本発明の実施の形態における挟持手段の他の例を抽出して示す図で、（ａ）は通常時の状態を示す平面図、（ｂ）はスイッチ手段の操作部に装着した状態で示す平面図である。両図中、図１〜３と同一部分には同一番号を付し、重複する説明は省略する。図４（ａ）に示すように、本例の挟持手段は、支持部材２にその軸方向に移動可能に支持したシャフト２４と、シャフト２４を支持部材３に向けて付勢するばね力を付与するばね２５をシャフト２４に嵌装したものである。この結果、操作部２４Ａを持って図中右方向に引っ張ればシャフト２４はばね２５を圧縮しながら同方向に移動する。したがってシャフト２４の先端部に配設した座金部２４Ｂと支持部材３の内周面との間を充分開いた状態で開口部１Ａを介して操作部IIを貫通させ、その後操作部２４Ａを離すことにより、ばね２５のばね力で座金部２４Ｂを操作部IIの右端面に押圧することができる。この結果、シャフト２４と支持部材３との間に操作部IIを挟持させることができる。
【００３３】
図５は本発明を適用するスイッチ手段の他の例を示す図で、（ａ）は平面図、（ｂ）は斜視図である。同図に示すように、本例のスイッチ手段は操作部IVを軸周りに時計方向および反時計方向に回動させて電気回路の切替を行うロータリースイッチである。かかるロータリースイッチに適用する場合には、操作部IVが開口部１Ａ（図１参照；以下同じ。）を貫通した状態で下部プレート１の下面をパネルIIIの表面に当接させる。その後は、上記実施の形態と同様の手順で操作部IVのロックを行なう。このときの座金部４Ｂの位置３４Ｂを図中に一点鎖線で、また支持部材３の内周面の位置３３を図中に二点線でそれぞれ示している。操作部IVは位置３４Ｂと位置３３との間で挟持部材により挟持される。
【産業上の利用可能性】
【００３４】
本発明は電力を動力として利用する配電系統を備えた産業分野において有効に利用することができる。
【符号の説明】
【００３５】
II                    操作部
１                    下部プレート
２，３                支持部材
４                    螺子軸
５                    上部カバー
６                    空間
７，８                プレート側タブプレート
７Ａ，８Ａ            プレート側貫通孔
９，１０              カバー側タブプレート
９Ａ，１０Ａ          カバー側貫通孔
【図１】
2012256549.tif 000003
【図４】
2012256549.tif 000004
【図５】
2012256549.tif 000005
【図２】
2012256549.tif 000006
【図３】
2012256549.tif 000007